(57)【要約】【課題】卓球の試合途中におけるサーバーを素早く明確に判断できる卓球用サーバー早わかりシートの提供。【解決手段】台紙の左右いずれかの表裏両面に「Ｓ」又は「サーバー」等のサーバーマークを大文字にて表示すると共に、他の側の表裏両面に「Ｒ」又は「レシーバー」等のレシーバーマークを表示し、前記サーバーマークの近傍に、ゲーム時にサーバーマーク側の選手がサーバーとなる場合のサーバーとレシーバーの合計ポイント数を小文字にて表示すると共に、レシーバーマークの近傍に、ゲーム時にレシーバー側の選手がサーバーとなる場合のサーバーとレシーバーの合計ポイント数を小文字にて表示した卓球用サーバー早わかりシート。【選択図】図１
0003098683.tif 000002
【実用新案登録請求の範囲】
【請求項１】
台紙の表面に、大文字による「Ｓ」又は「サーバー」等のサーバーマークを配し、このサーバーマークの近傍に、ゲーム時にサーバーマーク側の選手がサーバーとなる場合のサーバーとレシーバーの合計ポイント数を小文字にて表示すると共に、大文字による「Ｒ」又は「レシーバー」等のレシーバーマークを配し、このレシーバーマークの近傍に、ゲーム時にレシーバーマーク側の選手がサーバーとなる場合のサーバーとレシーバーの合計ポイント数を小文字にて表示した卓球用サーバー早わかりシート。
【請求項２】
台紙の表面左右に、大文字による「Ｓ」又は「サーバー」等のサーバーマークと「Ｒ」又は「レシーバー」等のレシーバーマークを配し、前記サーバーマークの近傍には、ゲーム時にサーバーマーク側の選手がサーバーとなる場合のサーバーとレシーバーの合計ポイント数を小文字にて表示すると共に、レシーバーマークの近傍には、ゲーム時にレシーバー側の選手がサーバーとなる場合のサーバーとレシーバーの合計ポイント数を小文字にて表示し、該台紙の裏面には、セット終了時におけるサーバーとレシーバーの合計ポイント数と、最後にサービスをした側がいずれであったかにより、試合開始時のサービスコーナーが判別できる表示をした卓球用サーバー早わかりシート。
【請求項３】
台紙の左右いずれかの表裏両面に「Ｓ」又は「サーバー」等のサーバーマークを大文字にて表示すると共に、他の側の表裏両面に「Ｒ」又は「レシーバー」等のレシーバーマークを表示し、前記サーバーマークの近傍に、ゲーム時にサーバーマーク側の選手がサーバーとなる場合のサーバーとレシーバーの合計ポイント数を小文字にて表示すると共に、レシーバーマークの近傍に、ゲーム時にレシーバー側の選手がサーバーとなる場合のサーバーとレシーバーの合計ポイント数を小文字にて表示し、前記台紙の表裏両面に、サーバーマーク「Ｓ」側とレシーバーマーク「Ｒ」側のコーナーは最終セットのチェンジコート時のみ逆になる旨の説明表示を付加した卓球用サーバー早わかりシート。
【請求項４】
台紙の表面に、セット終了時におけるサーバーとレシーバーの合計ポイント数と、最後にサービスをした側がいずれであったかにより試合開始時のサービスコーナーが判別できる表示をした卓球用サーバー早わかりシート。
【考案の詳細な説明】
【０００１】
【考案の属する技術分野】
本考案は、卓球の試合途中におけるサーバーを素早く明確に判断できるようにした卓球用サーバー早わかりシートに関するものである。
【０００２】
【従来の技術】
従来、卓球の試合は基本的に２１本ゲームの３セットマッチで、サービスについては５本ごとに交替していた。この従来の試合形式の場合には、サーバーとレシーバーが５本ごとに入れ替り、サーバーとレシーバーの合計ポイント数が５の倍数となった場合にサーブチェンジすることになるため、その判断は容易であった。
【０００３】
また、試合形式が複雑なダブルスにおいても次セットにおけるサーバーを容易に判断することができた。例えば、１セット目の試合結果が２１対１８の場合、サーバーとレシーバーのスコアを合算した合計ポイント数が３６〜４０で終了していれば、終了時のレシーバーが次セットのサーバーになることが必然的に判断できた。
【０００４】
ところが、平成１３年９月１日施行の新ルールでは、１試合が原則的に１１本ゲームの５セットマッチになった。しかも、サービスやレシーブについても２本毎に交替することに変更された。
【０００５】
前記新ルールによる試合においては、サーバーが２本毎に交替する関係上、例えば５対８となった場合、次のサービスはどちらが行えばよいのか迷うことがある。この迷いはカウント数が多くなる程、即ち、サービスチェンジを多くする程増す。また、この迷いは試合が進んで、４セット、５セットとセット数が増すに従い多くなる。
【０００６】
この傾向は、さらに、ゲーム開始時のサーバーとレシーバーが、前記のように試合中明確に認識していない場合にはさらに顕著になり、次のサーバーの確認のためしばしば試合を中断することになる。この中断は試合進行の遅延を招き、集中力も欠いてコンディションのリズムを狂わせることにもなる。
【０００７】
【考案が解決しようとする課題】
前記試合の開始時におけるサーバーとレシーバーとの役割分担をはじめ、試合途中におけるサービスチェンジ等の指示は本来審判が判断し、素早く的確に行なうべきものであるが、審判においても２本毎にサービスチェンジをする試合において、ゲーム開始時のサーバーとレシーバーを考慮してその都度サーバーとレシーバーを間違いなく素早く指示することは、相当熟練した者でないとむずかしいものである。
【０００８】
【課題を解決するための手段】
本考案は前記の課題を解決するもので、台紙の表面に、サーバーマークとレシーバーマークを表示すると共に、これら両マークの近傍に、両者の合計ポイント数により、いずれのコーナーの者がサービスを行なうべきかを判断できるようにしたものである。
【０００９】
即ち、本考案の第１は、台紙の表面に、大文字による「Ｓ」又は「サーバー」等のサーバーマークを配し、このサーバーマークの近傍に、ゲーム時にサーバーマーク側の選手がサーバーとなる場合のサーバーとレシーバーの合計ポイント数を小文字にて表示すると共に、大文字による「Ｒ」又は「レシーバー」等のレシーバーマークを配し、このレシーバーマークの近傍に、ゲーム時にレシーバーマーク側の選手がサーバーとなる場合のサーバーとレシーバーの合計ポイント数を小文字にて表示した卓球用サーバー早わかりシートである。
【００１０】
また、本考案の第２は、台紙の表面左右に、大文字による「Ｓ」又は「サーバー」等のサーバーマークと「Ｒ」又は「レシーバー」等のレシーバーマークを配し、前記サーバーマークの近傍には、ゲーム時にサーバーマーク側の選手がサーバーとなる場合のサーバーとレシーバーの合計ポイント数を小文字にて表示すると共に、レシーバーマークの近傍には、ゲーム時にレシーバー側の選手がサーバーとなる場合のサーバーとレシーバーの合計ポイント数を小文字にて表示し、該台紙の裏面には、セット終了時におけるサーバーとレシーバーの合計ポイント数と、最後にサービスをした側がいずれであったかにより、試合開始時のサービスコーナーが判別できる表示をした卓球用サーバー早わかりシートである。
【００１１】
また、本考案の第３は、台紙の左右いずれかの表裏両面に「Ｓ」又は「サーバー」等のサーバーマークを大文字にて表示すると共に、他の側の表裏両面に「Ｒ」又は「レシーバー」等のレシーバーマークを表示し、前記サーバーマークの近傍に、ゲーム時にサーバーマーク側の選手がサーバーとなる場合のサーバーとレシーバーの合計ポイント数を小文字にて表示すると共に、レシーバーマークの近傍に、ゲーム時にレシーバー側の選手がサーバーとなる場合のサーバーとレシーバーの合計ポイント数を小文字にて表示し、前記台紙の表裏両面に、サーバーマーク「Ｓ」側とレシーバーマーク「Ｒ」側のコーナーは最終セットのチェンジコート時のみ逆になる旨の説明表示を付加した卓球用サーバー早わかりシートである。
【００１２】
また、本考案の第４は、台紙の表面に、セット終了時におけるサーバーとレシーバーの合計ポイント数と、最後にサービスをした側がいずれであったかにより試合開始時のサービスコーナーが判別できる表示をした卓球用サーバー早わかりシートである。
【００１３】
【考案の実施の形態】
本考案に係る卓球用サーバー早わかりシートの一実施形態を図に示す実施例に基づき説明する。
【００１４】
図１は、本考案に係る卓球用サーバー早わかりシートの基本的な構成を示すもので、１枚の台紙（１）の表面左側に大文字のサーバーマーク「Ｓ」（２）を表示すると共に、その下部に、ゲーム時にサーバーマーク「Ｓ」側の選手がサーバーとなる場合のサーバーとレシーバーの合計ポイント数（３）、即ち、「０、１、４、５、８、９、１２、１３、１６、１７、２０以上の偶数」が表示されている。
【００１５】
また、前記台紙（１）の表面右側に大文字のレシーバーマーク「Ｒ」（４）を表示すると共に、その下部に、ゲーム時にレシーバーマーク「Ｒ」側の選手がサーバーとなる場合のサーバーとレシーバーの合計ポイント数（５）、即ち、「２、３、６、７、１０、１１、１４、１５、１８、１９、２１以上の奇数」が表示されている。
【００１６】
前記サーバーマーク「Ｓ」とレシーバーマーク「Ｒ」は、図示のように１枚の台紙（１）の表面に表示してもよいが、これらサーバーマーク「Ｓ」（合計ポイント数の表示を含む）とレシーバーマーク「Ｒ」（合計ポイント数の表示を含む）を１枚の台紙（１）の表面と裏面に表示してもよい。
【００１７】
なお、前記サーバーマークの「Ｓ」やレシーバーマークの「Ｒ」については、図示のように大文字の太書きとし、その下部のＳとＲの合計ポイント（３）（５）については前記より小さい小文字とするのが視認上好ましいが、これら文字の形態や大きさ、位置等は必ずしも図示のような形態に限定されるものではない。
【００１８】
また、前記サーバーマーク「Ｓ」（２）（ＳとＲの合計ポイント数（３）を含む）とレシーバーマーク「Ｒ」（４）（ＳとＲの合計ポイント数（５）を含む）とは図示のように１枚の台紙（１）に並記したものでもよいし各々分離した状態としてもよい。
【００１９】
なお、図１に示す具体的な一例としての卓球用サーバー早わかりシートにおいては、サーバーマーク「Ｓ」の上部に、このコーナーが「ゲーム開始時のサーバー」である旨の記載、又、レシーバーマーク「Ｒ」の上部に、このコーナーが「ゲーム開始時のレシーバー」である旨の記載があり、さらに、サーバーとレシーバーの合計ポイント数（３）を列挙した上部に、Ｓ側には「Ｓがサーバーとなるケース」との記載と、Ｒ側には、「Ｒがサーバーとなるケース」との記載があるが、これらは本考案に係る卓球用早わかりシートを初めて使用する際の注意書きであって、使用要領を心得た審判の場合はこれら注意書きは必ずしも必要とするものではない。
【００２０】
図２は、試合途中のセット終了時におけるサーバーとレシーバーの合計ポイント数と、最後にサービスをした側がいずれであったかにより、試合開始時のサービスコーナーを判別できるようにしたもので、試合の途中に、いずれの選手が試合開始時にサーバーとしていずれのコーナーからサービスをしたか、又はレシーバーとしてレシーブをしたかを明確にするものである。
【００２１】
この、図２に示すシートには、最後にサービスをした側が「Ｓ」のコーナー、即ち、試合開始時にサーバーが位置したコーナーとなる場合の、セット終了時におけるサーバーとレシーバーの合計ポイント数（７）、即ち、「１３、１４、１７、１８」が上段に中文字にて表示されており、又、最後にサービスをした側が「Ｒ」のコーナー、即ち、試合開始時にレシーバーが位置したコーナーとなる場合の、セット終了時におけるサーバーとレシーバーの合計ポイント数（８）、即ち、「１１、１２、１５、１６、１９、２０以上」が下段に中文字にて表示されていて、いわゆる試合開始時における「ＳとＲのコーナー早わかり」機能を有するものである。
【００２２】
図２に示すシートには、具体例として、上段に、中文字による「Ｓコーナー」の表示及び「セットの終了時の合計ポイント数が下記の場合、最後にサービスをした側がＳのコーナーです。」との記載と、「１３、１４、１７、１８」の数字（合計ポイント）が記載され、下段に、中文字による「Ｒコーナー」の表示及び「セットの終了時の合計ポイント数が下記の場合、最後にサービスをした側がＲのコーナーです。」との記載と、「１１、１２、１５、１６、１９、２０以上」の数字（合計ポイント）が記載されているが、上記「Ｓコーナー」及び「Ｒコーナー」とそれぞれのコーナーにおける合計ポイント数（７）及び（８）の表示以外の説明文については、必ずしも図示例の形態に限定されるものではない。
【００２３】
即ち、セット終了時の合計ポイント数（７）の場合には最後にサービスをした側がＳのコーナー（試合開始時のサービスコーナー）であることがわかる記載であればよく、又、セット終了時の合計ポイント数（８）の場合には最後にサービスをした側がＲのコーナー（試合開始時のレシーブコーナー）であることがわかる記載であればよい。
【００２４】
前記図２に示すＳとＲのコーナー早わかりの内容は、前記図１に示す台紙（１）の裏面に表示されていてもよいし、独立した別の台紙に表示されていてもよい。
【００２５】
前記図２に示すＳとＲのコーナー早わかりシートは、試合開始時におけるサーバーとレシーバーが、例えば図１に示すようなサーバーマーク「Ｓ」やレシーバーマーク「Ｒ」の使用により明確な場合には必要でなく、試合進行途中において、いずれのコートが、試合開始時におけるサービス側のコートであったか迷った場合に利用すればよいものである。
【００２６】
図３は、前記図１に示すサーバー早わかりシートの下部に、「ＳとＲのコーナーは最終セットのチェンジコート時のみ変わります。」との説明表示（６）を付したもので、この説明表示は、試合が最終セットにまでもつれこんだ場合における選手と審判への注意説明である。
【００２７】
図４は、前記図３に示すサーバー早わかりシートにおけるサーバーマーク「Ｓ」（２）とレシーバーマーク「Ｒ」（４）（いずれも合計ポイント数（３）（５）を含む）の位置を左右逆にしたもので、これら図３と図４に示す表示を１枚の台紙（１）の表裏に背中合せに設けることにより、１枚の台紙の左側の表裏両面にサーバーマーク「Ｓ」を表示すると共に、右側の表裏両面にレシーバーマーク「Ｒ」を表示したものとなる。
【００２８】
【使用方法と考案の効果】
本考案に係る卓球用サーバー早わかりシートの使用方法を前記第３の考案、即ち、台紙（１）の表裏両面に図３の形態と図４の形態を表示した形態のシートについて説明する。
【００２９】
第１セットのゲーム開始時におけるサーバー側に本考案に係る卓球用サーバー早わかりシート（以下単に「シート」と略称する）のサーバーマーク「Ｓ」側を合せて審判の手元に置き試合を始める。この際、左側がサーバーの場合には図３の表示面を表とし、逆に右側がサーバーの場合には図４の表示面を表として得点記録用のバインダーに挟んだり、足元に置いて使用する。
【００３０】
試合が進行し、何度もサービスチェンジを繰り返した時点で、次のサーバーがどちら側かわからなくなった際、その時点でのサーバーとレシーバーの合計ポイント数（カウント表示により常に明確である）を確認し、サーバーとレシーバー、即ち、ＳとＲの合計ポイント数を「Ｓ」又は「Ｒ」の下部に記載されている数字（３）又は（５）から探す。
【００３１】
その時のＳとＲのカウントが例えば８対２とすると、この合計ポイント数は「１０」となる。合計ポイント「１０」は右側のレシーバーマーク「Ｒ」の側にあるので、その時点でのサーバーはレシーバーマーク「Ｒ」側の選手となる。
【００３２】
また、ＳとＲのカウントが例えば８対５とすると、この合計ポイント数は「１３」となるので、「１３」の記載のある左側のサーバーマーク「Ｓ」側の選手がサーバーとなる。
【００３３】
このように本考案に係る卓球用サーバー早わかりシートにおいては、多くのサービスチェンジを繰り返し、又、コートチェンジを繰り返した場合でも、サーバーがいずれの選手かわからなくなった際には、その時点でのサーバーとレシーバーとの合計ポイント数により、Ｓ、Ｒいずれの側の選手がサーバーであるかが素早く、確実に判断できる効果がある。
【００３４】
なお、本考案の卓球用サーバー早わかりシートにおいては、ゲーム開始時のサーバー側に「Ｓ」を、レシーバー側に「Ｒ」を配置した後は、セットによるチェンジコートを繰り返した場合でも、シートの「Ｓ」と「Ｒ」の変更は行なわなくてもよく、前記のＳとＲの合計ポイント数によるサーバーとレシーバーの判断はそのままの位置で適用可能である。
【００３５】
さらに、本考案に係る卓球用サーバー早わかりシートは複雑なダブルスの試合にも適用できる。しかし、ダブルスの場合は、「Ｓ」側又は「Ｒ」側のチーム内のいずれがサーバーとなるかは自ら判断する必要がある。
【００３６】
ただ、試合が最終セットにまでもつれ込んだ場合、最終セットに限って「Ｓ」又は「Ｒ」のいずれかが５本を先取した時に、ルール上チェンジコートをする必要がある。この場合にのみ上記ＳとＲの合計ポイント数によるサーバーの判断原則を適用するには、ゲームの最初に設定した卓球用早わかりシート自体を裏返して「Ｓ」と「Ｒ」の位置を左右逆にする必要があり、この際の注意が説明表示（６）として表示されている。
【００３７】
なお、図２に示す「ＳとＲのコーナー早わかり」は前記図３や図４の「サーバー早わかり」シートがない場合に使用するもので、セット終了時におけるサーバーとレシーバーの合計ポイント数と、最後にサービスをした側が、いずれのコーナーからであったかにより、試合開始時のサービスコーナーが判別でき、次セット開始に当ってのサービスコーナー「Ｓ」を明らかにすることができるものである。
【００３８】
例えば、第２セットの最後のサービスが左のコーナーの選手により行われて終了した場合におけるサーバーとレシーバーの合計ポイント数が「１７」であったとすれば、この「１７」は上段に羅列した合計ポイント数（７）の中に存在するので、最後にサービスをした左のコーナーが試合開始時のサービスコーナー「Ｓ」ということになる。従って、次セットは左のコーナーの選手（チェンジコートによりセット終了時右のコーナーにいた選手）からサービスを行うことになる。
【００３９】
又、第３セットの最後のサービスが右のコーナーの選手により行われて終了した場合におけるサーバーとレシーバーの合計ポイント数が「１６」であったとすれば、この「１６」は下段に羅列した合計ポイント数（８）の中に存在するので、最後にサービスをした右のコーナーが試合開始時のレシーブコーナー「Ｒ」ということになる。従って、次セットは左のコーナーの選手（チェンジコートによりセット終了時右のコーナーにいた選手）からサービスを行うことになる。
【００４０】
なお、図１に示すシートは、１枚の台紙（１）の表面左右に「Ｓ」と「Ｒ」（いずれも合計ポイント数を含む）の記載を有するだけのものであるため、第１セットのゲーム開始時におけるサーバーが右側のコートとなった場合、図示の状態で手元に置くと「Ｓ」と「Ｒ」の位置関係が逆になって混同を招くことになる。この場合には「Ｓ」と「Ｒ」の位置関係は無視して、ＳとＲの合計ポイント数によるサーバーの確認のみに使用するか、卓球台の対面部に位置する副審に持たせて「Ｓ」と「Ｒ」を選手の位置と適合させるようにしてもよい。
【００４１】
上述のように、本考案に係る卓球用サーバー早わかりシートを使用すれば、多くのサービスチェンジを繰り返し、又、コートチェンジを繰り返した場合でも、審判はその時点でのサーバーとレシーバーとの合計ポイント数によりどちらの選手がサーバーであるかを素早く確実に判断して指示でき、又、ＳとＲのコーナー早わかりシートを使用することにより、チェンジコート時におけるサーバーを明確に判断することができるため、サーバー確認のための試合の中断はなくなり、スムーズな試合の進行が可能となる。従って、選手においても試合中断によって集中力がみだされるようなことはなくなり、ベストコンディションの維持も図れるという大きな効果がある。
【図面の簡単な説明】
【図１】本考案に係る卓球用サーバー早わかりシートの表面図。
【図２】本考案に係る卓球用ＳとＲのコーナー早わかりシートの表面図。
【図３】本考案に係る卓球用サーバー早わかりシートの他の例の表面図。
【図４】本考案に係る卓球用サーバー早わかりシートの他の例の表面図。
【符号の説明】
１　　　　台紙
２　　　　サーバーマーク
３　　　　ＳがサーバーとなるケースのＳとＲの合計ポイント数
４　　　　レシーバーマーク
５　　　　ＲがサーバーとなるケースのＳとＲの合計ポイント数
６　　　　説明表示
７　　　　最後のサーバーがＳコーナーとなるセット終了時の合計ポイント数
８　　　　最後のサーバーがＲコーナーとなるセット終了時の合計ポイント数
【図１】
0003098683.tif 000003
【図２】
0003098683.tif 000004
【図３】
0003098683.tif 000005
【図４】
0003098683.tif 000006